(57)【要約】【課題】ホームページの管理者を当該ホームページ管理者のホームページを閲覧した閲覧者が、簡単に応援することのできる応援方法および応援システムを提供する。【解決手段】コンピュータシステムにより、所定のホームページのホームページ管理者を、上記ホームページを閲覧した閲覧者が応援する応援方法において、ホームページ管理者のホームページ内に所定の欄を設置する第１の段階と、上記第１の段階において設置された所定の欄を選択する第２の段階と、上記第２の段階において上記所定の欄が選択されると、上記ホームページ管理者宛に所定の件名の電子メールを送信する第３の段階とを有する。【選択図】　　　　図１
2004094842.tif 000002
【特許請求の範囲】
【請求項１】
コンピュータシステムにより、所定のホームページのホームページ管理者を、前記ホームページを閲覧した閲覧者が応援する応援方法において、
ホームページ管理者のホームページ内に所定の欄を設置する第１の段階と、
前記第１の段階において設置された所定の欄を選択する第２の段階と、
前記第２の段階において前記所定の欄が選択されると、前記ホームページ管理者宛に所定の件名の電子メールを送信する第３の段階と
を有する応援方法。
【請求項２】
請求項１に記載の応援方法において、
前記第３の段階で送信される電子メールの本文はない
ものである応援方法。
【請求項３】
コンピュータシステムにより、所定のホームページのホームページ管理者を、前記ホームページを閲覧した閲覧者が応援する応援方法において、
ホームページ管理者のホームページ内に所定の欄を設置する第１の段階と、
前記第１の段階において設置された所定の欄を選択する第２の段階と、
前記第２の段階において前記所定の欄が選択された回数を計測する第３の段階と、
前記第３の段階において計測された回数を示す内容で、前記ホームページ管理者宛に所定のタイミングで所定の件名の電子メールを送信する第４の段階と
を有する応援方法。
【請求項４】
請求項３に記載の応援方法において、
前記第４の段階で送信される電子メールには、前記第３の段階において計測された回数に応じて異なる内容が付加されている
ものである応援方法。
【請求項５】
請求項１、請求項２、請求項３または請求項４のいずれか１項に記載の応援方法において、
ホームページ管理者のホームページ内に設置される所定の欄には、少なくとも「拍手」の文字が表示され、ホームページ管理者宛に送信される電子メールの件名は少なくとも「拍手」を含む
ものである応援方法。
【請求項６】
コンピュータシステムにより、所定のホームページのホームページ管理者を、前記ホームページを閲覧した閲覧者が応援する応援システムにおいて、
電子メールの送受信が可能なホームページ管理者側装置においてホームページ内に所定の欄を設置する設置手段と、
前記設置手段によって設置された所定の欄を選択する電子メールの送受信が可能な閲覧者側装置の選択手段と、
前記選択手段によって前記所定の欄が選択されると、前記ホームページ管理者宛に所定の件名の電子メールを送信する前記閲覧者側装置の送信手段と、
前記送信手段によって送信された電子メールを受信する前記ホームページ管理者側装置の受信手段と
を有する応援システム。
【請求項７】
請求項６に記載の応援システムにおいて、
前記送信手段によって送信される電子メールの本文はない
ものである応援システム。
【請求項８】
コンピュータシステムにより、所定のホームページのホームページ管理者を、前記ホームページを閲覧した閲覧者が応援する応援システムにおいて、
電子メールの送受信が可能なホームページ管理者側装置においてホームページ内に所定の欄を設置する設置手段と、
前記設置手段によって設置された所定の欄を選択する電子メールの送受信が可能な閲覧者側装置の選択手段と、
前記選択手段によって前記所定の欄が選択された回数を計測する計測手段と、
前記計測手段において計測された回数を示す内容で、前記ホームページ管理者宛に所定のタイミングで所定の件名の電子メールを送信する送信手段と、
前記送信手段によって送信された電子メールを受信する前記ホームページ管理者側装置の受信手段と
を有する応援システム。
【請求項９】
請求項８に記載の応援システムにおいて、
前記送信手段によって送信される電子メールには、前記計測手段によって計測された回数に応じて異なる内容が付加されている
ものである応援システム。
【請求項１０】
請求項６、請求項７、請求項８または請求項９のいずれか１項に記載の応援システムにおいて、
ホームページ管理者のホームページ内に設置される所定の欄には、少なくとも「拍手」の文字が表示され、ホームページ管理者宛に送信される電子メールの件名は少なくとも「拍手」を含む
ものである応援システム。
【発明の詳細な説明】
【０００１】
【発明の属する技術分野】
本発明は、応援方法および応援システムに関し、さらに詳細には、特に、ホームページの管理者を閲覧者が応援する際に用いて好適な応援方法および応援システムに関する。
【０００２】
【従来の技術】
近年、インターネットなどのネットワークに接続しているサーバの所定のスペースにウェブサイトを設置する、即ち、ホームページを製作して公開するホームページ管理者が増えつつある。
【０００３】
こうしたホームページ管理者は、自ら製作して公開したホームページをネットワークを介して閲覧した閲覧者が、自らのホームページのコンテンツに対して抱いた感想に高い関心を寄せることが多い。
【０００４】
このため、ホームページ管理者によっては、自らのホームページ内に電子掲示板（ＢＢＳ）を設置したり、あるいは、ホームページ管理者宛のメール作成欄を設置したりして、閲覧者からの感想などをホームページ管理者が得られるようにしている。
【０００５】
こうした電子掲示板などを介して得られる閲覧者からの感想や応援などのリアクションは、ホームページ管理者にとって非常に嬉しいものであり、ホームページ管理者のホームページの製作に対する意欲を向上させるものである。
【０００６】
しかしながら、ホームページ内に電子掲示板やホームページ管理者宛のメール作成欄が設置してあったとしても、当該ホームページを閲覧した閲覧者にとっては、掲示板への書き込みにしてもメールの作成にしても文章を書くという作業が欠かせないため、作業が煩雑になって面倒になってしまったり、キーボードを操作して文章を作成することに対する苦手意識が先行してしまったりすることとなっていた。
【０００７】
このため、閲覧したホームページのコンテンツに対して閲覧者が非常に興味を抱き、その感想や応援などをホームページ管理者に送りたいという場合であっても、閲覧者は作業が面倒なために、感想や応援などをホームページ管理者に送ることを結局は断念してしまうという問題点があった。
【０００８】
つまり、ホームページ管理者側にしてみれば、閲覧者からの感想や応援などのリアクションを受け取る機会を逃してしまっているという問題点があった。
【０００９】
これら従来の問題点により、現状、ホームページ管理者がホームページを公開しても、閲覧者がサイトにある程度集まるまでは、閲覧者からの感想や応援などのリアクションはないのが当然で、その後、サイトが成長し１日に何万という閲覧者が訪れるようになっても、閲覧者から得られる感想や応援などのリアクションは１日数十件程度に留まることが多い。
【００１０】
こうした閲覧者からのリアクションが感想や応援などの少ない現状は、ホームページの管理者にとっては、自ら製作したホームページのコンテンツが評価されていないことの結果であるのか、あるいは、単に閲覧者が面倒なための結果であるのかは、当然判断できないところである。
【００１１】
そして、このような現状により、ホームページ管理者のホームページの製作に対する意欲が損なわれる恐れがあり、その結果、素晴らしいコンテンツを配信し将来的には大きなウェブサイトに成長する可能性の高いサイトが、閲覧者からのリアクションが少なかったがために閉鎖してしまうという好ましくない結果を招きかねないことになっている。
【００１２】
【発明が解決しようとする課題】
本発明は、上記したような従来の技術の有する種々の問題点に鑑みてなされたものであり、その目的とするところは、ホームページの管理者を当該ホームページ管理者のホームページを閲覧した閲覧者が、簡単に応援することのできる応援方法および応援システムを提供しようとするものである。
【００１３】
【課題を解決するための手段】
上記目的を達成するために、本発明のうち請求項１に記載の発明は、コンピュータシステムにより、所定のホームページのホームページ管理者を、上記ホームページを閲覧した閲覧者が応援する応援方法において、ホームページ管理者のホームページ内に所定の欄を設置する第１の段階と、上記第１の段階において設置された所定の欄を選択する第２の段階と、上記第２の段階において上記所定の欄が選択されると、上記ホームページ管理者宛に所定の件名の電子メールを送信する第３の段階とを有するようにしたものである。
【００１４】
従って、本発明のうち請求項１に記載の発明によれば、ホームページ内に設置された所定の欄が選択されると、ホームページ管理者宛に所定の件名の電子メールが送信されるので、ホームページの閲覧者は、当該所定の欄を選択するという非常に簡単な作業だけで、感想や応援となる賞賛をホームページ管理者に送ることができ、ホームページの管理者を当該ホームページ管理者のホームページを閲覧した閲覧者が簡単に応援することができる。
【００１５】
また、本発明のうち請求項２に記載の発明は、請求項１に記載の発明において、上記第３の段階で送信される電子メールの本文はないものであるようにしたものである。
【００１６】
また、本発明のうち請求項３に記載の発明は、コンピュータシステムにより、所定のホームページのホームページ管理者を、上記ホームページを閲覧した閲覧者が応援する応援方法において、ホームページ管理者のホームページ内に所定の欄を設置する第１の段階と、上記第１の段階において設置された所定の欄を選択する第２の段階と、上記第２の段階において上記所定の欄が選択された回数を計測する第３の段階と、上記第３の段階において計測された回数を示す内容で、上記ホームページ管理者宛に所定のタイミングで所定の件名の電子メールを送信する第４の段階とを有するようにしたものである。
【００１７】
従って、本発明のうち請求項３に記載の発明によれば、ホームページ内に設置された所定の欄が選択されると、当該選択された回数がホームページ管理者宛に所定の件名の電子メールで報告されるので、ホームページの閲覧者は、当該所定の欄を選択するという非常に簡単な作業だけで、感想や応援となる賞賛をホームページ管理者に送ることができ、ホームページの管理者を当該ホームページ管理者のホームページを閲覧した閲覧者が簡単に応援することができる。
【００１８】
また、本発明のうち請求項４に記載の発明は、請求項３に記載の発明において、上記第４の段階で送信される電子メールには、上記第３の段階において計測された回数に応じて異なる内容が付加されているようにしたものである。
【００１９】
従って、本発明のうち請求項４に記載の発明によれば、ホームページ管理者は、ホームページ内に設置された所定の欄が選択された回数に応じて異なる内容の電子メールを受け取ることになるので、ホームページ管理者は閲覧者からの感想や応援となる賞賛を一層実感することができる。
【００２０】
また、本発明のうち請求項５に記載の発明は、請求項１、請求項２、請求項３または請求項４のいずれか１項に記載の発明において、ホームページ管理者のホームページ内に設置される所定の欄には、少なくとも「拍手」の文字が表示され、ホームページ管理者宛に送信される電子メールの件名は少なくとも「拍手」を含むものであるようにしたものである。
【００２１】
また、本発明のうち請求項６に記載の発明は、コンピュータシステムにより、所定のホームページのホームページ管理者を、上記ホームページを閲覧した閲覧者が応援する応援システムにおいて、電子メールの送受信が可能なホームページ管理者側装置においてホームページ内に所定の欄を設置する設置手段と、上記設置手段によって設置された所定の欄を選択する電子メールの送受信が可能な閲覧者側装置の選択手段と、上記選択手段によって上記所定の欄が選択されると、上記ホームページ管理者宛に所定の件名の電子メールを送信する上記閲覧者側装置の送信手段と、上記送信手段によって送信された電子メールを受信する上記ホームページ管理者側装置の受信手段とを有するようにしたものである。
【００２２】
従って、本発明のうち請求項６に記載の発明によれば、選択手段によってホームページ内に設置された所定の欄が選択されると、送信手段によってホームページ管理者宛に所定の件名の電子メールが送信されるので、ホームページの閲覧者は、当該所定の欄を選択するという非常に簡単な作業だけで、感想や応援となる賞賛をホームページ管理者に送ることができ、ホームページの管理者を当該ホームページ管理者のホームページを閲覧した閲覧者が簡単に応援することができる。
【００２３】
また、本発明のうち請求項７に記載の発明は、請求項６に記載の発明において、上記送信手段によって送信される電子メールの本文はないようにしたものである。
【００２４】
また、本発明のうち請求項８に記載の発明は、コンピュータシステムにより、所定のホームページのホームページ管理者を、上記ホームページを閲覧した閲覧者が応援する応援システムにおいて、電子メールの送受信が可能なホームページ管理者側装置においてホームページ内に所定の欄を設置する設置手段と、上記設置手段によって設置された所定の欄を選択する電子メールの送受信が可能な閲覧者側装置の選択手段と、上記選択手段によって上記所定の欄が選択された回数を計測する計測手段と、上記計測手段において計測された回数を示す内容で、上記ホームページ管理者宛に所定のタイミングで所定の件名の電子メールを送信する送信手段と、上記送信手段によって送信された電子メールを受信する上記ホームページ管理者側装置の受信手段とを有するようにしたものである。
【００２５】
従って、本発明のうち請求項８に記載の発明によれば、選択手段によってホームページ内に設置された所定の欄が選択されると、送信手段によって当該選択された回数がホームページ管理者宛に所定の件名の電子メールで報告されるので、ホームページの閲覧者は、当該所定の欄を選択するという非常に簡単な作業だけで、感想や応援となる賞賛をホームページ管理者に送ることができ、ホームページの管理者を当該ホームページ管理者のホームページを閲覧した閲覧者が簡単に応援することができる。
【００２６】
また、本発明のうち請求項９に記載の発明は、請求項８に記載の発明において、上記送信手段によって送信される電子メールには、上記計測手段によって計測された回数に応じて異なる内容が付加されているようにしたものである。
【００２７】
従って、本発明のうち請求項９に記載の発明によれば、ホームページ管理者は、ホームページ内に設置された所定の欄が選択された回数に応じて異なる内容の電子メールを受け取ることになるので、ホームページ管理者は閲覧者からの感想や応援となる賞賛を一層実感することができる。
【００２８】
また、本発明のうち請求項１０に記載の発明は、請求項６、請求項７、請求項８または請求項９のいずれか１項に記載の発明において、ホームページ管理者のホームページ内に設置される所定の欄には、少なくとも「拍手」の文字が表示され、ホームページ管理者宛に送信される電子メールの件名は少なくとも「拍手」を含むものであるようにしたものである。
【００２９】
【発明の実施の形態】
以下、添付の図面を参照しながら、本発明による応援方法および応援システムの実施の形態の一例を詳細に説明する。
【００３０】
図１には、本発明による応援システムの実施の形態の一例の全体の構成を表すブロック図が示されている。
【００３１】
この応援システム１０は、サーバー１２と、ホームページ管理者の管理者側装置１４と、閲覧者の閲覧者側装置１６（１６−１，１６−２，１６−３）と、管理者側装置１４と閲覧者側装置１６（１６−１，１６−２，１６−３）とをサーバー１２に接続するネットワーク１８とを有して構成されている。
【００３２】
なお、符号２０は、ネットワーク１８と接続し、ホームページ管理者のメールアドレス宛に送信された電子メールをメールボックス２０ａに保管するメールサーバーである。
【００３３】
ここで、管理者側装置１４は、ホームページを製作して公開するホームページ管理者が保有するものであり、閲覧者側装置１６（１６−１，１６−２，１６−３）は、ホームページを閲覧する閲覧者が保有するものである。
【００３４】
また、図１においては説明の都合上、管理者側装置１４は１台しか図示されておらず、また、閲覧者側装置１６は３台（図１に示す閲覧者側装置１６−１，１６−２，１６−３参照）しか図示されていないが、任意の数の管理者側装置１４と閲覧者側装置１６とがサーバー１２に接続可能なものである。
【００３５】
そして、上記した管理者側装置１４と閲覧者側装置１６とのそれぞれについて、より詳細に説明すると、上記したように管理者側装置１４と閲覧者側装置１６とは、それぞれネットワーク１８を介して通信可能なコンピュータシステムにより構築されている。
【００３６】
こうしたコンピュータシステムは、例えば、図２のブロック構成図に示されているように、バス１０２を介して、全体の動作の制御を行う中央処理装置（ＣＰＵ）１０４と、ＣＰＵ１０４の動作のためのプログラムを記憶したリードオンリメモリ（ＲＯＭ）１０６と、ＣＰＵ１０４のワーキングエリアとしてのランダムアクセスメモリ（ＲＡＭ）１０８と、ハードディスクなどの各種の記憶装置１１０と、操作者の所望の指示を入力するためのペンやマウス、キーボードなどの入力装置１１２と、ＣＲＴや液晶パネルなどから構成される表示装置１１４と、ネットワーク１８を介して外部の機器（サーバー１２など）と通信するためのルーターなど通信装置１１６とが接続されて構成されている。
【００３７】
そして、管理者側装置１４と閲覧者側装置１６とはそれぞれ、ネットワーク１８を介して送受信されるなどした各種情報に応じた内容を表示装置１１４−１４，１１４−１６の画面にそれぞれが表示することができるものである。さらに、表示装置１１４−１４，１１４−１６の画面の所定のエリアを、入力装置１１２−１４，１１２−１６によって選択したりすることなどにより、入力装置１１２−１４，１１２−１６を操作する操作者の所望の指示を入力することができるものである。
【００３８】
なお、この実施の形態においては、管理者側装置１４と閲覧者側装置１６とはそれぞれ、パーソナルコンピュータ（ＰＣ）により構成されるものとする。
【００３９】
また、管理者側装置１４ならびに閲覧者側装置１６はそれぞれ、所定の電子メール用ソフトウェアなどにより、通信装置１１６を用いネットワーク１８を介して電子メールの送信ならびに受信が可能なようになされている。
【００４０】
また、管理者側装置１４の記憶装置１１０は、後述するホームページ情報を記憶するホームページ情報記憶部１１０−１４ａを備えている。
【００４１】
以上の構成において、本発明による応援システム１０の動作について説明する。
【００４２】
図３には、応援システム１０の動作に関して、ホームページ管理者と閲覧者とを中心にして示した説明図が示されている。
【００４３】
まず、ホームページ管理者が、管理者側装置１４を用いて、ホームページを製作する（図３のステップＳ３００２参照）。より詳細には、管理者側装置１４たるパーソナルコンピュータの操作者であるホームページ管理者が、入力装置１１２−１４であるマウスやキーボードを用いて所定の入力作業を行うことにより、文章や画像、音楽など種々のコンテンツからなるホームページを示すホームページ情報の製作処理が管理者側装置１４において行われる。
【００４４】
なお、ホームページ情報は所定の書式で記述されているものであり、例えば、ホームページ情報はＨＴＭＬ（Ｈｙｐｅｒ　Ｔｅｘｔ　Ｍａｒｋｕｐ　Ｌａｎｇｕａｇｅ）形式で記述されている。
【００４５】
図４には、ホームページ製作処理のときに、管理者側装置１４の表示装置１１４−１４に表示される画面、即ち、ホームページ情報の示すホームページ２００の一例を示す説明図が示されている。この図４に示すホームページ２００には、画像が表示される画像エリア２００ａと、文章が表示されるや文章エリア２００ｂとにより構成されている。
【００４６】
ここで、ホームページ管理者は、ホームページ２００内に「ｗｅｂ拍手ボタン」と表示されているｗｅｂ拍手ボタン欄３００（図５参照）を設置する。
【００４７】
具体的には、ＨＴＭＬで記述されたホームページ情報の一部に、ホームページ２００内においてｗｅｂ拍手ボタン欄３００を配置したい位置に応じて図６に示すタグを追加する。このタグの１行目であるタグＡは、電子メールを利用して所定のメールアドレスにメールを送信することを命令するものである。従って、タグＡの部分ＡＡには、ホームページ管理者のメールアドレスを記述する。
【００４８】
こうして図６に示すタグがホームページ情報に追加されると、図４に示すホームページ２００内の所定の位置に、ｗｅｂ拍手ボタン欄３００が設置される（図５に示すホームページ２０２参照）。そして、このｗｅｂ拍手ボタン欄３００が設置されたホームページ２０２（図５参照）を示すホームページ情報を、所定のファイル形式で管理者側装置１４の記憶装置１１０のホームページ情報記憶部１１０−１４ａに記憶して、ホームページの製作処理が終了する。
【００４９】
ホームページ情報の製作処理（図３のステップＳ３００２参照）が終了すると続いて、ホームページの公開処理（図３のステップＳ３００４参照）、所謂、アップロードが行われる。このホームページの公開処理においては、まず、ホームページ管理者が入力装置１１２−１４を操作して、通信装置１１６により管理者側装置１４をネットワーク１８に接続する。
【００５０】
そして、ホームページ管理者による入力装置１１２−１４の操作に従って、管理者側装置１４の記憶装置１１０のホームページ情報記憶部１１０−１４ａに記憶されているホームページ情報が、ネットワーク１８を介してサーバー１２に送信されて、サーバー１２の記憶装置１２０のエリアＡに記憶される。
【００５１】
こうして記憶装置１２０のエリアＡにホームページ情報が記憶されたサーバー１２においては、サーバー１２に接続可能な閲覧者側装置１６が、エリアＡに記憶されたホームページ情報にアクセス可能な状態とする。
【００５２】
上記したようなホームページの公開処理（図３のステップＳ３００４参照）が終了すると、サーバー１２に接続可能な閲覧者側装置１６を用いて、閲覧者がアップロードされたホームページを閲覧することができる（図３のステップＳ３００６参照）。
【００５３】
例えば、図１に示す閲覧者側装置１６−１たるパーソナルコンピュータの操作者である閲覧者は、入力装置１１２−１６であるマウスやキーボードを用いて所定の入力作業を行うことにより、ネットワーク１８を介してサーバー１２にアクセスし、サーバー１２の記憶装置１２０のエリアＡに記憶されたホームページ情報の示すホームページを、閲覧者側装置１６の表示装置１１４−１６に表示させることができる。
【００５４】
この際、上記したホームページ情報の製作処理（図３のステップＳ３００２参照）において、ｗｅｂ拍手ボタン欄３００が設置されたホームページ２０２（図５参照）を示すホームページ情報が管理者側装置１４の記憶装置１１０のホームページ情報記憶部１１０−１４ａに記憶された場合には、当該ホームページ情報がサーバー１２の記憶装置１２０のエリアＡに記憶されているので、閲覧者側装置１６の表示装置１１４−１６には図５に示すホームページ２０２が表示される。つまり、閲覧者が閲覧するホームページ２０２にはｗｅｂ拍手ボタン欄３００が設置されている。
【００５５】
ここで、閲覧者側装置１６の表示装置１１４−１６に表示されたホームページ２０２（図５参照）の画像エリア２００ａに表示されている画像や、文章エリア２００ｂに表示されている文章などの種々のコンテンツを閲覧した閲覧者によっては、閲覧したホームページのコンテンツに対して非常に興味を抱き、その感想や応援などをホームページ管理者に送りたい場合がある。
【００５６】
こうした際に、閲覧者は閲覧したホームページの製作者であるホームページ管理者に対する賞賛を示すために、閲覧者側装置１６の入力装置１１２−１６たるマウスやキーボードを用いて、ホームページ２０２内に設置されたｗｅｂ拍手ボタン欄３００を選択する。すると、閲覧者側装置１６の表示装置１１４−１６の画面には、確認メッセージダイアログ４００が表示される（図７参照）。
【００５７】
ここで、確認メッセージダイアログ４００のキャンセル欄４００ａを、閲覧者が入力装置１１２−１６により選択すると、後述する件名「拍手」の電子メール５００の送信を行うことなしに、確認メッセージダイアログ４００を閉じる。
【００５８】
一方、確認メッセージダイアログ４００のＯＫ欄４００ｂを、閲覧者が入力装置１１２−１６により選択すると、接続手段としてのインターネットなどのネットワーク１８を介して、電子メールにより、賞賛などの応援をホームページ管理者に送ることを選択することができる。
【００５９】
より詳細には、入力装置１１２−１６により確認メッセージダイアログ４００のＯＫ欄４００ｂが選択されると、閲覧者側装置１６の電子メール用ソフトウェアが自動的に起動されて、図８に示すような件名「拍手」の電子メール５００が、ネットワーク１８を介してホームページ管理者のメールアドレス宛に送信される。この件名「拍手」の電子メール５００は、件名５００ａに「拍手」と記載されており、本文５００ｂにも「拍手」とだけ記載されている。
【００６０】
こうして、道端の大道芸人の芸に対する賞賛を、通行人が拍手するという行為によって示すのに似せて、ホームページ管理者が製作したホームページに対する賞賛を、閲覧者は件名「拍手」の電子メール５００を送信するという行為でホームページ管理者に伝えることができる。
【００６１】
そして、ホームページ管理者が、管理者側装置１４の電子メール用ソフトウェアによってネットワーク１８に接続し、ホームページ管理者のメールアドレス宛に送信されてメールサーバー２０のメールボックス２０ａに保管されている電子メールを管理者側装置１４に受信すると、表示装置１１４−１４の画面に表示されたよる受信メールの件名一覧には、「拍手」と表示された電子メールが存在する（図９参照）。
【００６２】
この際、ホームページ管理は、製作したホームページ２０２に自らｗｅｂ拍手ボタン欄３００を設置しているので、こうして受信された件名「拍手」の電子メール５００が、ホームページ管理者が製作したホームページに対する閲覧者からの賞賛であることを容易に理解できる。
【００６３】
そして、この件名「拍手」の電子メール５００は件名のみで本文に内容はないが（図８に示す電子メール５００参照）、製作したホームページに自らｗｅｂ拍手ボタン欄を設置したホームページ管理は、こうした件名のみで本文に内容のない電子メールが送信されることを予め認識している。従って、電子メールの件名が「拍手」であることだけでホームページ管理者は自らのホームページが閲覧者によって高く評価された実感を得ることができ、件名のみで本文に内容のない電子メールではあるが、本文のない嫌がらせの電子メールなどと混同することもなく、ホームページ管理者の迷惑にはならない。
【００６４】
また、こうした件名「拍手」の電子メール５００は件名のみで本文に内容がないため、件名「拍手」の電子メール５００の情報量は少なく、こうした件名「拍手」の電子メール５００を受信する管理者側装置１４の負荷が小さくて済むので、処理も速やかに行うことができる。
【００６５】
上記したようにして、本発明による応援システム１０によれば、ホームページ２０２内にｗｅｂ拍手ボタン欄３００（図５参照）が設置されているので、当該ｗｅｂ拍手ボタン欄３００をホームページ２０２の閲覧者が選択するだけで、ネットワーク１８を介して、件名「拍手」の電子メール５００（図８参照）が自動的にホームページ管理者のメールアドレス宛に送信される。
【００６６】
つまり、本発明による応援システム１０によれば、ホームページの閲覧者は、ホームページ２０２内のｗｅｂ拍手ボタン欄３００を選択するという非常に簡単な作業だけで、感想や応援となる賞賛をホームページ管理者に送ることができる。
【００６７】
こうした本発明による応援システム１０によれば、感想や応援などをホームページ管理者に送るために従来より行われてた掲示板への書き込みやメール作成の際には欠かせない文章を書くという作業は必要ないので、閲覧者が作業が面倒なために、感想や応援などをホームページ管理者に送ることを断念するような事態を回避できる。
【００６８】
また、こうした本発明による応援システム１０によれば、閲覧者は、文章を書くという煩雑な作業なしに簡単な作業だけで、ホームページ管理者を応援することができるので、文章を書くことが面倒であるという操作者とは異なる閲覧者、例えば、キーボードを操作して文章を入力することに習熟していない初心者のＰＣの操作者であっても、手軽にホームページ管理者を応援することができる。
【００６９】
つまり、本発明による応援システム１０によれば、ホームページ管理者は、閲覧者からの応援のリアクションを受け取れる機会を増やすことができ、多くのリアクションを受け取ることが可能になる。
【００７０】
その結果、上記「従来の技術」の項において記載したような現状を改善することができ、大きく成長した１日に何万という閲覧者が訪れるサイトは勿論のこと、ホームページ管理者がホームページを公開して間もなくの閲覧者がまだ十分に集まっていないサイトであっても、それらサイトのホームページ管理者は、件名「拍手」の電子メール５００（図８参照）を受信することができ、閲覧者からのリアクションを得ることができる。
【００７１】
そして、閲覧者からのリアクションをホームページ管理者が受け取れることは、ホームページ管理者にとって非常に嬉しいものであり、ホームページの製作に対する製作意欲を高めるので、閲覧者からのリアクションがないためにサイトを閉鎖してしまうということも少なくなる。
【００７２】
例えば、閲覧者がまだ十分に集まっていないサイトであっても、良質のコンテンツを配信しているサイトに対しては、より多くの件名「拍手」の電子メール５００（図８ならびに図９参照）が送信されるので、ホームページ管理者は閲覧者の賞賛を実感することができ、成長の可能性があるサイトの多くを生き残らせ、インターネット全体のモチベーションを維持させることが可能になる。
【００７３】
また、本発明による応援システム１０において、ホームページ２０２内にｗｅｂ拍手ボタン欄３００を設置する作業は、上記したホームページ情報の製作処理（図３のステップＳ３００２参照）のように、専用のソフトウェアなどを必要とせずに、ホームページ管理者が管理者側装置１４を用いて容易に行うことができるので、多くのホームページ管理者が、簡単にしかもコストをかけずに本発明による応援システムを利用することができる。
【００７４】
さらに、ホームページ２０２内にｗｅｂ拍手ボタン欄３００を設置するタグは、例えば、図６に示すように非常に簡潔なものなので、当該タグをＨＴＭＬで記述されたホームページ情報の一部に追加しても、ホームページ情報の情報量は膨大にはならないので、多くのホームページで本発明による応援システムを利用することができ、高い汎用性を有するものである。
【００７５】
次に、図１０乃至図１４を参照しながら、上記した応援システム１０の他の実施の形態について説明する。なお、図１乃至図９に示す構成と同一あるいは相当する構成には、図１乃至９と同一の符号を付して示すことにより、その構成ならびに作用の詳細な説明は省略する。
【００７６】
図１０に示す応援システム１０’と上記した応援システム１０（図１参照）とは、応援システム１０’がカウント用サーバー２２を有して構成されている点で応援システム１０とは異なっている。
【００７７】
この応援システム１０’のカウント用サーバー２２は、ホームページ内のｗｅｂ拍手ボタン欄が選択された回数をカウントする計測部２２ａと、計測部２２ａの計測結果に応じた電子メールをホームページ管理者のメールアドレス宛に送信するメール送信部２２ｂと、計測部２２ａやメール送信部２２ｂなどの全体の制御を行う制御部２２ｃとを有して構成されている。
【００７８】
より詳細には、カウント用サーバー２２の計測部２２ａは、ホームページ管理者が製作して公開したホームページ２０２’（後述する）内に設置されたｗｅｂ拍手ボタン欄３００’（後述する）が、ホームページ２０２’を閲覧した閲覧者によって入力装置１１２−１６により選択された回数を計測するものである。
【００７９】
メール送信部２２ｂは、計測部２２ａが計測したｗｅｂ拍手ボタン欄３００’が選択された回数に応じた内容で、件名「拍手報告」の電子メールを、自動的にホームページ管理者のメールアドレス宛に送信するものである。
【００８０】
以上の構成の応援システム１０’においては、上記した応援システム１０の動作（図３参照）とは異なる動作が実行される（図１１参照）。
【００８１】
まず、ホームページ管理者は、自らのホームページ内のｗｅｂ拍手ボタン欄とカウント用サーバー２２との関連付けを成立させたり、カウント用サーバー２２から件名「拍手報告」の電子メールを受信するために、管理者側装置１４とカウント用サーバー２２との間で、登録処理やパスワードの発行処理などの各種準備処理を行う（図１１のステップＳ１１０２参照）。
【００８２】
それから、ホームページ管理者は、上記準備処理（図１１のステップＳ１１０２参照）に基づいて管理者側装置１４を用い、ホームページ２０２’（図１２参照）を製作し、当該ホームページ２０２’内にｗｅｂ拍手ボタン欄３００’を設置する（図１１のステップＳ１１０４参照）。
【００８３】
この際、設置されるｗｅｂ拍手ボタン欄３００’（図１２参照）は、上記した応援システム１０において製作されたホームページ２０２内のｗｅｂ拍手ボタン欄３００（図５参照）とは異なり、このｗｅｂ拍手ボタン欄３００’が選択されても、ホームページ管理者のメールアドレス宛に件名「拍手」のみの電子メールは送信されないものである。つまり、ホームページ２０２’内にｗｅｂ拍手ボタン欄３００’を設置するためのタグも、ｗｅｂ拍手ボタン欄３００のタグ（図６参照）とは異なり、ｗｅｂ拍手ボタン欄３００’が選択されたことを、カウント用サーバー２２の計測部２２ａが計測できる内容であればよい。
【００８４】
こうして、ホームページ情報の製作処理が終了すると、続いて、ホームページの公開処理（図１１のステップＳ１１０６参照）、所謂、アップロードが行われる。これにより、ｗｅｂ拍手ボタン欄３００’が設置されたホームページ２０２’（図１２参照）を示すホームページ情報が、ネットワーク１８を介してサーバー１２に送信されて、サーバー１２の記憶装置１２０のエリアＢに記憶される。
【００８５】
この後、例えば、図１に示す閲覧者側装置１６−１の操作者たる閲覧者は、サーバー１２の記憶装置１２０のエリアＢに記憶されたホームページ情報の示すホームページ２０２’を、閲覧者側装置１６の表示装置１１４−１６に表示させることができる。つまり、閲覧者が閲覧するホームページ２０２’にはｗｅｂ拍手ボタン欄３００’が設置されている。
【００８６】
そして、閲覧者側装置１６の表示装置１１４−１６に表示されたホームページ２０２’（図１２参照）の画像エリア２００ａ’に表示されている画像や、文章エリア２００ｂ’に表示されている文章などの種々のコンテンツを閲覧した閲覧者は、閲覧したホームページのコンテンツに対して非常に興味を抱き、ホームページ管理者に対する応援の気持ちをホームページ管理者に送りたい場合には、閲覧者側装置１６の入力装置１１２−１６たるマウスやキーボードを用いて、ホームページ２０２’内に設置されたｗｅｂ拍手ボタン欄３００’を選択する。
【００８７】
そうすると、このホームページ２０２’内に設置されたｗｅｂ拍手ボタン欄３００’が選択されたことが、カウント用サーバー２２によって検知され、制御部２２ｃの制御に従って計測部２２ａによりカウントされる。
【００８８】
ここで、カウント用サーバー２２においては、図１３に示す報告処理ルーチンが所定の間隔で繰り返されている。
【００８９】
この報告処理ルーチンにおいては、まず、ステップＳ１３０２において前回の件名「拍手報告」の電子メールを送信から３日経過しているか否かを判断する処理が行われ、前回の報告の電子メールを送信から３日経過している場合には、ステップＳ１３０４の処理に進み、前回の報告の電子メールを送信から３日経過していない場合には、この報告処理ルーチンを終了する。
【００９０】
ステップＳ１３０４の処理においては、カウント用サーバー２２の計測部２２ａによって、前回の報告の電子メールを送信後に計測されたカウント数の読み込み処理を行う。
【００９１】
ステップＳ１３０４の処理に続いて、ステップＳ１３０６においては、ステップＳ１３０４において読み込まれたカウント数が１０以下であるか否かを判断する処理が行われ、カウント数が１０以下である場合にはステップＳ１３１０の処理に進み、カウント数が１０以下ではない場合にはステップＳ１３０８の処理に進む。
【００９２】
ステップＳ１３０８の処理においては、ステップＳ１３０４において読み込まれたカウント数が１００以上であるか否かを判断する処理が行われ、カウント数が１００以上ではない場合にはステップＳ１３１２の処理に進み、カウント数が１００以上である場合にはステップＳ１３１４の処理に進む。
【００９３】
そして、ステップＳ１３１０の処理においては、カウント数が１０以下の場合として予め設定されている内容で、件名「拍手報告」の電子メールがメール送信部２２ｂによって自動的にホームページ管理者のメールアドレス宛に送信される。
【００９４】
一方、ステップＳ１３１２の処理においては、カウント数が１１以上９９以下の場合として予め設定されている内容で、件名「拍手報告」の電子メールがメール送信部２２ｂによって自動的にホームページ管理者のメールアドレス宛に送信される。
【００９５】
また、ステップＳ１３１４の処理においては、カウント数が１００以上の場合として予め設定されている内容で、件名「拍手報告」の電子メールがメール送信部２２ｂによって自動的にホームページ管理者のメールアドレス宛に送信される。
【００９６】
こうして、ステップＳ１３１０、ステップＳ１３１２あるいはステップＳ１３１４の処理によって件名「拍手報告」の電子メールが送信されると、この報告処理ルーチンを終了する。
【００９７】
そして、ホームページ管理者が、管理者側装置１４の電子メール用ソフトウェアによってネットワーク１８に接続し、ホームページ管理者のメールアドレス宛に送信されてメールサーバー２０のメールボックス２０ａに保管されている電子メールを管理者側装置１４に受信すると、表示装置１１４−１４の画面に表示されたよる受信メールの件名一覧には、「拍手報告」と表示された電子メールが存在する。
【００９８】
この件名「拍手報告」の電子メールの本文は、カウント数が１０以下の場合、即ち、ホームページ管理者が公開したホームページ２０２’（図１２参照）のｗｅｂ拍手ボタン欄３００’が閲覧者によって選択された回数が１０回以下の場合には、例えば、図１４（ａ）に示す件名「拍手報告」の電子メール６００のように、件名６００ａに「拍手報告」と記載されており、本文６００ｂにはカウント数が簡単に記載される。
【００９９】
また、カウント数が１１以上９９以下の場合、即ち、ホームページ管理者が公開したホームページ２０２’（図１２参照）のｗｅｂ拍手ボタン欄３００’が閲覧者によって選択された回数が１１回以上９９回以下の場合には、例えば、図１４（ｂ）に示す件名「拍手報告」の電子メール６０２のように、件名６０２ａに「拍手報告」と記載されており、本文６０２ｂにはカウント数と簡単なコメントが記載される。また、この図１４（ｂ）の件名「拍手報告」の電子メール６０２を開封すると、管理者側装置１４のスピーカーからは拍手の音や指笛や賞賛する声援などを模擬した音声が流れるようになされている。
【０１００】
そして、カウント数が１００以上の場合、即ち、ホームページ管理者が公開したホームページ２０２’（図１２参照）のｗｅｂ拍手ボタン欄３００’が閲覧者によって選択された回数が１００回以上の場合には、例えば、図１４（ｃ）に示す件名「拍手報告」の電子メール６０４のように、件名６０４ａに「拍手報告」と記載されており、本文６０４ｂにはカウント数と賞賛のコメントや画像が記載される。また、この図１４（ｃ）の件名「拍手報告」の電子メール６０４を開封すると、管理者側装置１４のスピーカーからは、大観衆による拍手の音や指笛や賞賛する声援などを模擬した音声が流れるようになされている。
【０１０１】
こうした件名「拍手報告」の電子メール（例えば、電子メール６００，６０２，６０４）によって、ホームページ管理は、自らが製作したホームページに対する閲覧者からのリアクションを得ることができる。
【０１０２】
上記したようにして、本発明による応援システム１０’によれば、ホームページ２０２’内にｗｅｂ拍手ボタン欄３００’が設置されているので、当該ｗｅｂ拍手ボタン欄３００’をホームページ２０２’の閲覧者が選択するだけで、カウント用サーバー２２によりネットワーク１８を介して、件名「拍手報告」の電子メール（図１４（ａ）（ｂ）（ｃ）参照）が自動的にホームページ管理者のメールアドレス宛に送信される。
【０１０３】
つまり、本発明による応援システム１０’によれば、上記した応援システム１０（図１参照）と同様に、ホームページの閲覧者は、ホームページ２０２’内のｗｅｂ拍手ボタン欄３００’を選択するという非常に簡単な作業だけで、感想や応援などをホームページ管理者に送ることができる。
【０１０４】
このため、上記した応援システム１０（図１参照）と同様に、感想や応援などをホームページ管理者に送るために従来より行われてた掲示板への書き込みやメール作成の際には欠かせない文章を書くという作業は必要ないので、閲覧者が作業が面倒なために、感想や応援などをホームページ管理者に送ることを断念するような事態を回避できる。また、閲覧者は、文章を書くという煩雑な作業なしに簡単な作業だけで、ホームページ管理者を応援することができるので、文章を書くことが面倒であるという操作者とは異なる閲覧者、例えば、キーボードを操作して文章を入力することに習熟していない初心者のＰＣの操作者であっても、手軽にホームページ管理者を応援することができる。
【０１０５】
つまり、本発明による応援システム１０’によれば、上記した応援システム１０（図１参照）と同様に、ホームページ管理者は、閲覧者からの応援のリアクションを受け取れる機会を増やすことができ、多くのリアクションを受け取ることが可能となる。
【０１０６】
その結果、上記「従来の技術」の項において記載したような現状を改善することができ、大きく成長した１日に何万という閲覧者が訪れるサイトは勿論のこと、ホームページ管理者がホームページを公開して間もなくの閲覧者がまだ十分に集まっていないサイトであっても、それらサイトのホームページ管理者は、件名「拍手報告」の電子メール（図１４（ａ）（ｂ）（ｃ）参照）を受信することができ、閲覧者からのリアクションを知ることができる。
【０１０７】
そして、閲覧者からのリアクションをホームページ管理者が受け取れることは、ホームページ管理者にとって非常に嬉しいものであり、ホームページの製作に対する製作意欲を高めるので、閲覧者からのリアクションがないためにサイトを閉鎖してしまうということも少なくなる。例えば、閲覧者がまだ十分に集まっていないサイトであっても、良質のコンテンツを配信しているサイトに対しては、ｗｅｂ拍手ボタン欄３００’がより多くの回数選択されるので、ホームページ管理者は閲覧者の賞賛を実感することができ、成長の可能性があるサイトを生き残らせ、インターネット全体のモチベーションを維持させることが可能になる。
【０１０８】
また、本発明による応援システム１０’においも、上記した応援システム１０（図１参照）と同様に、ホームページ２０２’内にｗｅｂ拍手ボタン欄３００’を設置する作業は、上記したホームページ情報の製作処理（図１１のステップＳ参照）のように、専用のソフトウェアなどを必要とせずに、ホームページ管理者が管理者側装置１４を用いて容易に行うことができるので、多くのホームページ管理者が、簡単に本発明による応援システムを利用することができる。
【０１０９】
さらに、本発明による応援システム１０’によれば、ｗｅｂ拍手ボタン欄３００’が選択されても、ホームページ管理者のメールアドレス宛に件名「拍手」のみの電子メールは送信されないようになされているので、ｗｅｂ拍手ボタン欄３００’がかなり多くの回数選択された場合でも、ホームページ管理者のメールアドレス宛に送信されるのは、カウント用サーバー２２のメール送信部２２ｂから送信される件名「拍手報告」の電子メール１通である。
【０１１０】
つまり、本発明による応援システム１０’によれば、ｗｅｂ拍手ボタン欄がかなり多く選択されたその回数に応じて、大量の件名「拍手」のみの電子メールが、ホームページ管理者のメールアドレス宛に送信されるのを防止することができる。このため、本発明による応援システム１０’によればメールサーバー２０の負荷を低減できるので、ｗｅｂ拍手ボタン欄３００’がかなり多くの回数選択されることが予想されるホームページ、例えば、１日に数万人もの人が訪れるサイトであっても利用することができ、高い汎用性を有するものである。
【０１１１】
また、本発明による応援システム１０’においては、報告処理ルーチン（図１３参照）により、ｗｅｂ拍手ボタン欄３００’が選択された回数に応じて異なる本文の件名「拍手報告」の電子メールが、メール送信部２２ｂによって自動的にホームページ管理者のメールアドレス宛に送信されるようになされているので、ホームページ管理者は、閲覧者からの感想や応援となる賞賛を一層実感することができる。
【０１１２】
なお、上記した実施の形態は、以下に示す（１）乃至（９）のように変形してもよい。
【０１１３】
（１）上記した実施の形態においては、ホームページ２０２，２０２’内に設置されるｗｅｂ拍手ボタン欄３００，３００’は、ボタンに「ｗｅｂ拍手ボタン」と表示されるようにしたが（図５ならびに図１２参照）、これに限られるものではないことは勿論であり、例えば、ｗｅｂ拍手ボタン欄３００，３００’に代わって、図１５に示すようなボタンをホームページ内に設置するようにしてもよい。
【０１１４】
この図１５に示すボタンは、「大拍手」と表示されているボタン３０２と、「拍手」と表示されているボタン３０４と、「がんばりましょう」と表示されているボタン３０６との３段階の程度に対応している。こうして、程度に対応する複数種類のボタンをホームページに設置すると、閲覧者は感想や応援となる賞賛の程度に応じたボタンを選択することができるようになる。その結果、ホームページ管理者は、件名「拍手」の電子メール５００の量や件名「拍手報告」の電子メール６００，６０２，６０４によるカウント回数の総数だけではなく、賞賛の程度まで明確なリアクションを閲覧者から得ることができる。
【０１１５】
（２）上記した実施の形態においては、ホームページ２０２内に設置されたｗｅｂ拍手ボタン欄３００を選択すると確認メッセージダイアログ４００（図７参照）が表示されたり、ホームページ２０２’内に設置されたｗｅｂ拍手ボタン欄３００’を選択するとカウント用サーバー２２の計測部２２ａによってカウントされるようにしたが、これに限られるものではないことは勿論である。
【０１１６】
例えば、ｗｅｂ拍手ボタン欄３００を選択すると、確認メッセージダイアログ４００（図７参照）が表示されることなしに電子メールが送信されるようにしてもよい。
【０１１７】
また、例えば、上記した実施の形態においてさらに、ｗｅｂ拍手ボタン欄３００，３００’の選択が決定された後、図１６に示すような所定の画面が表示されるようにして、ｗｅｂ拍手ボタン欄３００，３００’を選択した閲覧者に限ったメッセージをホームページ管理者から伝えられるように構成してもよい。
【０１１８】
（３）上記した実施の形態においては、ｗｅｂ拍手ボタン欄３００，３００’を、ホームページ管理者がホームページ２００，２０２’を製作するときに（図３のステップＳ３００２や図１１のステップＳ１１０４参照）設置するようにしたが、これに限られるものではないことは勿論であり、アップロードのときにサーバー１２によって、サーバー１２の記憶装置１２０のエリアＡやエリアＢに記憶されているホームページに対してｗｅｂ拍手ボタン欄が設置されるように構成してもよい。
【０１１９】
（４）上記した実施の形態においては、ｗｅｂ拍手ボタン欄３００，３００’が選択された回数は、件名「拍手」の電子メール５００（図８参照）や件名「拍手報告」の電子メール６００，６０２，６０４（図１４（ａ）（ｂ）（ｃ）参照）によって、ホームページ管理者にだけ知らされるようにしたが、これに限られるものではないことは勿論であり、例えば、サーバー１２などによって、ｗｅｂ拍手ボタン欄３００，３００’が選択された回数などを、ホームページ管理者だけではなく他の多くの閲覧者も閲覧することができるように所定のウェブサイトで公開するように構成してもよい。
【０１２０】
これにより、ホームページを閲覧してｗｅｂ拍手ボタン欄３００，３００’を選択した閲覧者も、自身が賞賛したホームページのコンテンツに対する他の閲覧者の評価を知ることができるようになる。
【０１２１】
（５）上記した応援システム１０（図１参照）においては、件名「拍手」の電子メール５００（図８参照）がホームページ管理者のメールアドレス宛に送信されるようにしたが、これに限られるものではないことは勿論であり、例えば、件名「拍手」の電子メール５００の本文５００ｂがないようにしてもよい。これにより件名「拍手」の電子メールの情報量は一層少なくなり、こうした電子メール５００を受信する管理者側装置１４の負荷が小さくて済み、処理も一層速やかに行うことができる。
【０１２２】
また、ホームページ管理者宛に送信される電子メールの件名も「拍手」に限定されるものではなく、任意に変更するようにしてもよい。つまり、本発明による応援システムにおいては、ホームページ管理人を賞賛する最も手軽な手法を提唱し、その最も手軽な賞賛の一例として拍手があるにすぎないものである。
【０１２３】
（６）上記した応援システム１０（図１参照）においては、件名「拍手」の電子メール５００（図８参照）がホームページ管理者のメールアドレス宛に送信されると、件名「拍手」の電子メール５００の送信者である閲覧者のメールアドレスがホームページ管理者に知らされてしまうが、これに限られるものではないことは勿論であり、件名「拍手」の電子メールを送信する際に、閲覧者のメールアドレスがホームページ管理者に知らされないように、例えば、図６に示したタグに代わってＣＧＩ（Ｃｏｍｍｏｎ　Ｇａｔｅｗａｙ　Ｉｎｔｅｒｆａｃｅ）を用いて構成してもよい。
【０１２４】
これにより、閲覧者は自身のメールアドレスの悪用などという問題を回避できるので、ｗｅｂ拍手ボタン欄３００を選択する気軽さが一層増え、ホームページ管理者は、閲覧者からの感想や応援などのリアクションを受け取れる機会を一層増やすことができる。
【０１２５】
（７）上記した応援システム１０’（図１０参照）においては、ｗｅｂ拍手ボタン欄３００’が選択された回数に応じてそれぞれ異なる内容が付加され異なる本文の件名「拍手報告」の電子メール６００，６０２，６０４（図１４（ａ）（ｂ）（ｃ）参照）が３日間隔で送信されるようにしたが（図１３参照）、これに限られるものではないことは勿論であり、単にｗｅｂ拍手ボタン欄３００’が選択された回数のみを報告する同一フォームの本文で電子メールが送信されるようにしてもよいし、あるいは、ｗｅｂ拍手ボタン欄３００’を選択した閲覧者のアクセス解析なども含めて電子メールで報告するようにしてもよい。そして、その電子メールが送信されるタイミングは任意に設定可能なように構成すればよい。
【０１２６】
（８）上記した応援システム１０’（図１０参照）においては、カウント用サーバー２２によってカウントされたｗｅｂ拍手ボタン欄３００’が選択された回数は、件名「拍手報告」の電子メール６００，６０２，６０４によって、ホームページ管理者に報告されるようにしたが、これに限られるものではないことは勿論であり、カウント用サーバー２２によってカウントされたｗｅｂ拍手ボタン欄３００’が選択された回数を、任意のタイミングでホームページ管理者が知ることができるようにしてもよい。
【０１２７】
例えば、カウント用サーバー２２はさらに所定のアクセス解析が可能な手段を備えるようにし、ホームページ管理者は管理者側装置１４の表示装置１１４−１４に図１７に示すような画面を表示させて、ホームページ管理者が任意のタイミングでｗｅｂ拍手ボタン欄が選択された回数を知ることができるように各種構成を変更してもよい。このようにすると、ｗｅｂ拍手ボタン欄が選択された回数だけではなく、ｗｅｂ拍手ボタンが選択された日時や詳細な解析を行った結果などもホームページ管理者に報告することができるようになる。
【０１２８】
（９）上記した実施の形態ならびに上記した（１）乃至（８）に示す変形例は、適宜に組み合わせるようにしてもよい。
【０１２９】
【発明の効果】
本発明は、以上説明したように構成されているので、ホームページの管理者を当該ホームページ管理者のホームページを閲覧した閲覧者が、簡単に応援することができるようになるという優れた効果を奏する。
【図面の簡単な説明】
【図１】本発明による応援システムの実施の形態の一例の全体の構成を表すブロック図である。
【図２】本発明による応援システムの管理者側装置と閲覧者側装置とをそれぞれ構築するコンピュータシステムを示すブロック構成図である。
【図３】本発明による応援システムの動作に関して、ホームページ管理者と閲覧者とを中心にして示した説明図である。
【図４】ホームページ情報の示すホームページの一例を示す説明図である。
【図５】ｗｅｂ拍手ボタン欄が設置されたホームページの一例を示す説明図である。
【図６】ｗｅｂ拍手ボタン欄の設置のためのタグの一例を示す説明図である。
【図７】確認メッセージダイアログの一例を示す説明図である。
【図８】件名「拍手」の電子メールの一例を示す説明図である。
【図９】管理者側装置の表示装置の画面に表示されたよる受信メールの件名一覧の一例を示す説明図である。
【図１０】本発明による応援システムの実施の形態の他の例の全体の構成を表すブロック図である。
【図１１】本発明による応援システムの動作に関して、ホームページ管理者と閲覧者とを中心にして示した説明図である。
【図１２】ｗｅｂ拍手ボタン欄が設置されたホームページの他の例を示す説明図である。
【図１３】報告処理ルーチンを示すフローチャートである。
【図１４】件名「拍手報告」の電子メールの一例を示す説明図であり、（ａ）はｗｅｂ拍手ボタン欄が閲覧者によって選択された回数が１０回以下の場合の件名「拍手報告」の電子メールの一例を示す説明図であり、（ｂ）はｗｅｂ拍手ボタン欄が閲覧者によって選択された回数が１１回以上９９回以下の場合の件名「拍手報告」の電子メールの一例を示す説明図であり、（ｃ）はｗｅｂ拍手ボタン欄が閲覧者によって選択された回数が１００回以上の場合の件名「拍手報告」の電子メールの一例を示す説明図である。
【図１５】ホームページに設置されるｗｅｂ拍手ボタン欄の他の例を示す説明図である。
【図１６】ｗｅｂ拍手ボタン欄が選択された場合に表示される画面の一例を示す説明図である。
【図１７】ｗｅｂ拍手ボタン欄が選択された回数を示す画面の一例を示す説明図である。
【符号の説明】
１０，１０’　　応援システム
１２　　　　　　サーバー
１４　　　　　　管理者側装置
１６（１６−１，１６−２，１６−３）　　　閲覧者側装置
１８　　　　　　ネットワーク
２０　　　　　　メールサーバー
２０ａ　　　　　メールボックス
２２　　　　　　カウント用サーバー
２２ａ　　　　　計測部
２２ｂ　　　　　メール送信部
２２ｃ　　　　　制御部
１０２　　　　　　バス
１０４　　　　　　中央処理装置（ＣＰＵ）
１０６　　　　　　リードオンリメモリ（ＲＯＭ）
１０８　　　　　　ランダムアクセスメモリ（ＲＡＭ）
１１０　　　　　　記憶装置
１１０−１４ａ　　ホームページ情報記憶部
１１２（１１２−１４，１１２−１６）　　　入力装置
１１４（１１４−１４，１１４−１６）　　　表示装置
１１６　　　　　　通信装置
１２０　　　　　　記憶装置
２００，２０２，２０２’　　ホームページ
２００ａ，２００ａ’　　　　文章エリア
２００ｂ，２００ｂ’　　　　画像エリア
３００，３００’　　　　　　ｗｅｂ拍手ボタン欄
４００　　　　　　確認メッセージダイアログ
４００ａ　　　　　キャンセル欄
４００ｂ　　　　　ＯＫ欄
５００　　　　　　件名「拍手」の電子メール
５００ａ，６００ａ，６０２ａ，６０４ａ　　件名
５００ｂ，６００ｂ，６０２ｂ，６０４ｂ　　本文
６００，６０２，６０４　　　件名「拍手報告」の電子メール
【図１】
2004094842.tif 000003
【図２】
2004094842.tif 000004
【図３】
2004094842.tif 000005
【図４】
2004094842.tif 000006
【図５】
2004094842.tif 000007
【図６】
2004094842.tif 000008
【図７】
2004094842.tif 000009
【図８】
2004094842.tif 000010
【図９】
2004094842.tif 000011
【図１０】
2004094842.tif 000012
【図１１】
2004094842.tif 000013
【図１２】
2004094842.tif 000014
【図１３】
2004094842.tif 000015
【図１４】
2004094842.tif 000016
【図１５】
2004094842.tif 000017
【図１６】
2004094842.tif 000018
【図１７】
2004094842.tif 000019